(57)【要約】【課題】フォーカスがあったエリアにおける被写体の本来有する色を損なうことなく、輪郭強調表示を行う。【解決手段】入力映像信号Ｃｖから高周波成分を抽出するフィルタ２０３と、フィルタ２０３で抽出された高周波成分のレベルを検出して、検出したレベルが予め設定しておいた所定の閾値を超えているか否かを判定するレベル検出部２０４とを備えた。そして、レベル検出部２０４によって信号のレベルが所定の閾値を超えていると判断された区間はカラー映像信号Ｃｖを出力し、信号のレベルが所定の閾値を超えていないと判断された区間はモノクロ映像信号Ｍｖを出力するようにした。【選択図】図２
2010074549.tif 000002
【特許請求の範囲】
【請求項１】
入力映像信号から抽出した高周波成分のレベルを検出して、前記検出したレベルが予め設定しておいた所定の閾値を超えているか否かを判定するレベル検出部と、
前記レベル検出部によって前記高周波成分のレベルが所定の閾値を超えていると判断された区間の入力映像信号をカラー映像信号とし、前記高周波成分のレベルが所定の閾値を超えていないと判断された区間の入力映像信号をモノクロ映像信号として出力する信号出力部とを備えた
映像信号処理装置。
【請求項２】
前記レベル検出部によって前記高周波成分のレベルが所定の閾値を超えていると判断された際に、その越えていると判断される区間の幅を拡張する検出領域拡張部を備えた
請求項１記載の映像信号処理装置。
【請求項３】
前記検出領域拡張部が拡張する所定の幅は、所定の操作によって変更可能とした
請求項２記載の映像信号処理装置。
【請求項４】
前記信号出力部は、前記カラー映像信号のレベルを、前記フィルタで抽出された高周波成分の大きさに応じたレベルに増幅して出力する
請求項３記載の映像信号処理装置。
【請求項５】
前記入力映像信号をモノクロ映像信号に変換するモノクロ化部を備え、
前記信号出力部は、前記検出領域拡張部から信号が入力される場合とされない場合とで、前記カラー映像信号としての前記入力映像信号と、前記モノクロ化部で生成されたモノクロ映像信号とを切り替えて出力するセレクタである
請求項４記載の映像信号処理装置。
【請求項６】
前記入力映像信号から高周波成分のみを抽出して前記レベル検出部に出力するフィルタを備え、
前記信号出力部は、前記検出領域拡張部から、前記高周波成分のレベルが所定の閾値を超えていることを示す信号が入力される間は前記カラー映像信号としての前記入力映像信号を出力し、前記検出領域拡張部から、前記高周波成分のレベルが所定の閾値未満であることを示す信号が入力されている間は前記モノクロ化部で生成されたモノクロ映像信号を出力する
請求項５記載の映像信号処理装置。
【請求項７】
前記入力映像信号から高周波成分を除いた成分を抽出して前記レベル検出部に出力するフィルタを備え、
前記信号出力部は、前記検出領域拡張部から、前記高周波成分のレベルが所定の閾値未満であることを示す信号が入力される間は前記モノクロ化部で生成されたモノクロの映像信号を出力し、前記検出領域拡張部から、前記高周波成分のレベルが所定の閾値を超えていることを示す信号が入力されている間はカラーの映像信号としての前記入力映像信号を出力する
請求項５記載の映像信号処理装置。
【請求項８】
前記フィルタは、前記モノクロ化部で生成されたモノクロの映像信号から高周波成分を抽出する
請求項５記載の映像信号処理装置。
【請求項９】
前記信号出力部は、前記検出領域拡張部からの出力信号を、前記入力映像信号を構成する色信号に乗算する乗算器である
請求項５記載の映像信号処理装置。
【請求項１０】
前記信号出力部は、前記検出領域拡張部からの出力信号を、前記入力映像信号を構成する色信号に乗算する乗算器と、前記検出領域拡張部からの出力信号を、前記入力映像信号を構成する輝度信号に加算する加算器とよりなる
請求項５記載の映像信号処理装置。
【請求項１１】
前記フィルタには、前記入力映像信号を構成する輝度信号が入力され、
前記検出領域拡張部は、第１の検出領域拡張部と第２の検出領域拡張部よりなり、
前記信号出力部は、前記入力映像信号を構成する輝度信号に前記第１の検出領域拡張部からの出力信号を乗算する乗算器と、前記入力映像信号を構成する色信号に前記第２の検出領域拡張部からの出力信号を加算する加算器とで構成される
請求項５記載の映像信号処理装置。
【請求項１２】
前記フィルタは、前記入力映像信号を構成する輝度信号から所定の周波数の成分の信号を抽出して前記第１の検出領域拡張部に出力する第１のフィルタと、前記入力映像信号を構成する色信号から所定の周波数の成分の信号を抽出して前記第２の検出領域拡張部に出力する第２のフィルタとで構成される
請求項１１記載の映像信号処理装置。
【請求項１３】
前記第１のフィルタには、前記第２のフィルタで抽出されて前記第２の検出領域拡張部で拡張処理が施された信号が加算された前記輝度信号が入力され、前記第１の検出領域拡張部は、前記第１のフィルタから出力された信号を前記乗算部に出力する
請求項１１記載の映像信号処理装置。
【請求項１４】
被写体光を光電変換して映像信号を生成する撮像部と、
前記撮像部で生成された映像信号からから抽出した高周波成分のレベルを検出して、前記検出したレベルが予め設定しておいた所定の閾値を超えているか否かを判定するレベル検出部と、  
前記レベル検出部によって前記高周波成分のレベルが所定の閾値を超えていると判断された区間の入力映像信号をカラー映像信号とし、前記高周波成分のレベルが所定の閾値を超えていないと判断された区間の入力映像信号をモノクロ映像信号として出力する信号出力部とを備えた
撮像装置。
【請求項１５】
入力映像信号から抽出した高周波成分のレベルを検出して、前記検出したレベルが予め設定しておいた所定の閾値を超えているか否かを判定するレベル検出部と、  
前記レベル検出部によって前記高周波成分のレベルが所定の閾値を超えていると判断された区間の入力映像信号をカラー映像信号とし、前記高周波成分のレベルが所定の閾値を超えていないと判断された区間の入力映像信号をモノクロ映像信号として出力する信号出力部と、
前記信号出力部から出力された映像信号を表示する表示部とを備えた
表示装置。
【請求項１６】
入力映像信号から抽出した高周波成分のレベルを検出して、前記検出したレベルが予め設定しておいた所定の閾値を超えているか否かを判定するステップと、  
前記高周波成分のレベルが所定の閾値を超えていると判断された区間の入力映像信号をカラー映像信号とし、前記高周波成分のレベルが所定の閾値を超えていないと判断された区間の入力映像信号をモノクロ映像信号として出力するステップとを含む
映像信号処理方法。
【発明の詳細な説明】
【技術分野】
【０００１】
本発明は、映像信号処理装置、撮像装置、表示装置及び映像信号処理方法に関し、特に画像の輪郭部分を強調表示する技術に関する。
【背景技術】
【０００２】
放送局用、業務用のビデオカメラや撮像装置においては、その映像表現の自由度を上げる為に、自動的にピント合わせを行うオートフォーカスよりも、制作者（ユーザ）の意図を反映できるマニュアル・フォーカスが使われる事が多い。
【０００３】
このようなビデオカメラにおいては、マニュアルでのフォーカス調整を容易にするために、フォーカス調整時に、映像信号の高周波成分を強調してビューファインダや表示装置に表示することが行われている。具体的な処理としては、映像信号を構成する輝度信号から高周波成分を抽出して輪郭強調信号を生成し、その輪郭強調信号を本線の輝度信号に加算して、ビューファインダや表示装置等に出力することを行っている。
【０００４】
フォーカス調整の動作によってフォーカスが合ってくると、輝度信号中の高周波成分の量が増加するため、上述した処理を行うことにより、画面上の画像の輪郭（エッジ）部分が強調されるようになる。これによりユーザは、フォーカスが合っているか否かを画面上で確認しながら、フォーカスの調整を行うことができる。
【０００５】
このとき、画面上で輪郭強調部分をより分かりやすく表示するために、輪郭強調部分に特定の色をつけることも行われている。例えば特許文献１には、フォーカスが合ったエリアに特定の色をつけて表示する技術が記載されている。
【特許文献１】特開２００２−１９６２２５号公報
【発明の開示】
【発明が解決しようとする課題】
【０００６】
ところで、特許文献１に記載の技術のように、画像の輪郭部分に特定の色をつける場合には、撮影画に高周波成分が多く含まれる場合には、画面の全体に色が付いてしまうことになる。こうなると、絵がかえって見づらいものとなってしまうという問題があった。またこの場合、輪郭強調部分に特定の色が付加されることで、被写体が持つ本来の色をユーザが認識できなくなってしまうという問題があった。
【０００７】
また、特定の色をつけない場合であっても、輪郭強調信号を本線の輝度信号に加算する従来の手法では、輝度信号のレベルが変わってしまうことになる。この場合は、画像の輪郭部分がぎらついたように表現される等、本来の絵とは見え方が変わってしまうという問題があった。
【０００８】
またこの場合、撮影画がノイズを多く含むものであった場合には、このような輪郭強調処理によって、ノイズがさらに強調されてしまう。この状態で、フォーカスを合わせやすくするために輪郭強調の度合いを上げると、画面に表示される絵は、ノイズばかりのものになってしまうという問題があった。
【０００９】
本発明はかかる点に鑑みてなされたものであり、フォーカスがあったエリアにおける被写体の本来有する色を損なうことなく、輪郭強調表示を行うことを目的とする。
【課題を解決するための手段】
【００１０】
本発明の映像信号処理装置は、入力映像信号から抽出した高周波成分のレベルを検出して、検出したレベルが予め設定しておいた所定の閾値を超えているか否かを判定するレベル検出部を備えた。そして、レベル検出部によって高周波成分のレベルが所定の閾値を超えていると判断された区間の入力映像信号をカラー映像信号とし、高周波成分のレベルが所定の閾値を超えていないと判断された区間の入力映像信号をモノクロ映像信号として出力するようにしたものである。
【００１１】
このようにしたことで、入力映像信号から抽出された信号のレベルが所定の閾値以上であった場合、すなわちフォーカスが合致している状態のときに、レベルが閾値を超えているエリアがカラーで表示され、それ以外の部分がモノクロで表示されるようになる。
【００１２】
これにより、撮影画に高周波成分が多く含まれる場合であっても、画面に表示される画像が見づらくなってしまうことがなくなる。
【発明の効果】
【００１３】
本発明によると、高周波成分を含む箇所がカラーで表示され、それ以外の部分がモノクロで表示されるため、フォーカスが合致した部分を、被写体が持つ本来の色で認識することができるようになる。
【発明を実施するための最良の形態】
【００１４】
以下、本発明の実施の形態を、添付図面を参照して説明する。なお、説明は以下の順序で行う。
１．第１の実施の形態（カラーの映像信号に含まれる高周波成分のレベルの高さに応じて、モノクロ化された映像信号とカラー映像信号とを切り替えて出力する例）
２．変形例１（モノクロ化された信号から高周波成分を抽出する例）
３．変形例２（高周波成分のレベルの高さに応じて、本線の映像信号のレベルも変化させる例）
４．変形例３（輝度信号と色信号とが別々に送信される場合の例）
５．変形例４（従来のピーキングによる輪郭強調と、本発明による輪郭強調処理とを併用する場合の例）
６．変形例５（本発明を表示装置等の他の装置に適用した場合の例）
【００１５】
＜１．第１の実施の形態＞
［撮像装置の内部構成例］
図１は、第１の実施の形態による撮像装置の内部構成例を示している。図１に示す撮像装置１００は、被写体光を撮像装置１００内に取り込むレンズブロック１と、カメラブロック２より構成される。レンズブロック１には、レンズや、レンズの位置を調整するフォーカスリング（共に図示略）等が含まれる。
【００１６】
カメラブロック２には、レンズブロック１のレンズを介して入射された被写体光を光電変換して映像信号を生成する撮像素子２１を設けてあり、撮像素子２１で生成された映像信号は、相関二重サンプリング回路（以下、ＣＤＳ回路と称する）２２に供給される。ＣＤＳ回路２２は、撮像素子２１によって生成された映像信号に含まれたリセットノイズを除去し、雑音除去後の映像信号をアナログ・デジタル変換部（以下、Ａ／Ｄ変換部と称する）２３に供給する。
【００１７】
Ａ／Ｄ変換部２３は、ＣＤＳ回路２２から供給された映像信号をデジタルの信号に変換して、信号処理部２４に供給する。信号処理部２４は、入力された映像信号に、黒レベルを一定基準値に固定するためのフィードバッククランプ処理や、ガンマ補正等の信号処理を施して、記録用信号処理部２５と表示用信号処理部２８に出力する。
【００１８】
記録用信号処理部２５は、信号処理部２４で信号処理された映像信号をＭＰＥＧ（Moving Picture Experts Group）等の方式で圧縮して、記憶部２６又は外部インタフェース部２７に供給する。記憶部２６はＨＤＤ（Hard Disk Drive）等よりなり、記憶部２６には、記録用信号処理部２５で圧縮された映像信号等が蓄積される。なお、記憶部２６に蓄積される映像信号は圧縮されたものに限定されるものではなく、非圧縮の映像信号を蓄積するようにしてもよい。
【００１９】
表示用信号処理部２８は、信号処理部２４で信号処理された映像信号をＮＴＳＣ（Near Field Communication）方式等の映像信号にエンコードし、エンコード後の映像信号をアナログ信号に変換する処理等を行ってから、表示部２９や外部インタフェース部３０に供給する。なお、入力される映像信号はＮＴＳＣ方式に限定されるものではなく、ＰＡＬ（Phase Alternating Line）等の他の方式であってもよい。さらに、標準ビデオ信号だけでなくＨＤ（High Definition）信号が入力される構成としてもよい。また、表示用信号処理部２８では、フォーカスが合っているエリアをカラーで表示する輪郭強調の処理も行う。この処理の詳細については後述する。
【００２０】
表示部２９は、ＬＣＤ（Liquid Crystal Display）等よりなるビューファインダであり、表示用信号処理部２８で処理された映像信号を画像として表示する。本例においては、表示部２９が撮像装置１００に内蔵されているものとする。
【００２１】
［表示用信号処理部の内部構成例］
次に、図２を参照して、表示用信号処理部２８の輪郭強調処理部分の構成の例を説明する。図２に示した構成は、信号処理部２４から出力される映像信号がＲＧＢ信号である場合の構成である。なお、ここではＲＧＢ信号を処理する場合を例に挙げているが、これに限定されるものではなく、例えばＸＹＺ信号に対して同様の処理を行うようにしてもよい。
【００２２】
信号処理部２４（図１参照）から入力されるＲＧＢ信号Ｃｖは、モノクロ化部２０１とセレクタ２０２とフィルタ２０３ｒ，フィルタ２０３ｇ，フィルタ２０３ｂに供給される。モノクロ化部２０１は、ＲＧＢ信号Ｃｖをモノクロの映像信号Ｍｖに変換してセレクタ２０２に出力する。セレクタ２０２は、モノクロ化部２０１から出力されるモノクロ映像信号Ｍｖと、信号処理部２４から供給されたＲＧＢ信号Ｃｖのうち、いずれかの信号を選択して表示部２９に出力する。
【００２３】
フィルタ２０３ｒ，フィルタ２０３ｇ，フィルタ２０３ｂはハイパスフィルタ等で構成され、フィルタ２０３ｒにはＲ信号が、フィルタ２０３ｇにはＧ信号が、フィルタ２０３ｂにはＢ信号が入力される。フィルタ２０３ｒ，フィルタ２０３ｇ，フィルタ２０３ｂは、入力される各映像信号の高周波成分を抽出して高周波信号を生成し、レベル検出部２０４ｒ，レベル検出部２０４ｇ，レベル検出部２０４ｂに出力する。
【００２４】
なお、以下の説明においては、フィルタ２０３ｒ，フィルタ２０３ｇ，フィルタ２０３ｂを特に区別する必要がない場合には単にフィルタ２０３と称し、レベル検出部２０４ｒ，レベル検出部２０４ｇ，レベル検出部２０４ｂも、単にレベル検出部２０４と称する。
【００２５】
図３に、フィルタ２０３の構成例を示してある。図３に示すグラフの縦軸は映像信号の振幅を示し、横軸は空間周波数（Ｆｓ）を示す。図３に示したフィルタ特性は、フィルタ係数を３段（−１，２，−１）用いた場合のものであり、空間周波数が低い場合には信号を減衰させ、空間周波数が０．５Ｆｓの場合に、振幅が最大となるように設計されていることが示されている。
【００２６】
図４には、フィルタ２０３通過前のＲＧＢ信号Ｃｖによる画像を示してあり、形状をした被写体と三角の形状をした被写体と四角い形状をした被写体とが、手前側から奥側に向けかって並んで配置されている。図４には、三角の被写体にピントが合っており、丸い被写体と四角い被写体はボケている状態が示されている。図５には、フィルタ２０３通過後の高周波信号による画像を示してある。ＲＧＢ信号Ｃｖをフィルタ２０３に通すことで、図５に示されるように、三角の被写体のエッジ部分に多く含まれる高周波成分のみが抽出される。
【００２７】
なお、ここではフィルタ２０３をハイパスフィルタで構成して高周波成分を抽出するようにしているが、微分フィルタ等他のフィルタを用いて高周波成分を抽出するようにしてもよい。
【００２８】
また、フィルタ２０３において、複数のフィルタを組み合わせて使用することにより、所望の帯域を通過させるように構成してもよい。例えば、図３に示したハイパスフィルタとともに、図６に示したようなバンドパスフィルタも用いるようにしてもよい。図６に示したフィルタは、フィルタ係数を５段（−１，０，２，０，−１）用いてあり、空間周波数が低い場合と高い場合には信号を減衰させ、空間周波数が０．２５Ｆｓ近辺の場合に、振幅が最大となるように設計したものである。
【００２９】
図２に戻って説明を続けると、レベル検出部２０４ｒ，レベル検出部２０４ｇ，レベル検出部２０４ｂはそれぞれ、予め設定された閾値と、フィルタ２０３から出力された高周波信号のレベルとを比較する。そして、高周波信号のレベルが閾値を超えているか否かを示す検出信号を生成して、検出領域拡張部２０５ｒ，検出領域拡張部２０５ｇ，検出領域拡張部２０５ｂに出力する。
【００３０】
検出領域拡張部２０５ｒ，検出領域拡張部２０５ｇ，検出領域拡張部２０５ｂは、それぞれモノマルチ回路等で構成される。そして、検出信号が高周波信号のレベルが閾値を超えていることを示すものであった場合には、その検出信号を予め決められた所定のクロック数分だけエッジ方向にホールドして、ピークホールドされた検出信号をＯＲ回路２０６に供給する。ホールドするクロック数は、拡張領域の幅等がユーザによって指定されることによって定まるようにしてある。なお、以下の説明においては、検出領域拡張部２０５ｒ，検出領域拡張部２０５ｇ，検出領域拡張部２０５ｂを個別に区別する必要がない場合は、単に検出領域拡張部２０５と称する。
【００３１】
ＯＲ回路２０６は、検出領域拡張部２０５ｒ，検出領域拡張部２０５ｇ，検出領域拡張部２０５ｂのいずれか１つからでも、高周波信号のレベルが閾値を超えていることを示す検出信号が入力された場合に、その検出信号をセレクタ２０２に出力する。
【００３２】
セレクタ２０２は、ＯＲ回路２０６から検出信号が、高周波信号のレベルが閾値未満であることを示すものである場合には、モノクロ化部２０１で生成されたモノクロ映像信号Ｍｖを出力する。高周波信号が閾値を超えていることを示すものであった場合には、検出信号が供給されている間、ＲＧＢ信号Ｃｖを選択して出力する。検出領域拡張部２０５において、ピークホールドの幅を広く設定してある場合には検出信号の時間方向の幅（パルス幅）も広くなるため、セレクタ２０２によってＲＧＢ信号Ｃｖが選択・出力される時間も長くなる。これにより、画像のエッジ部分など高周波成分を多く含む箇所においては、エッジ部分だけでなくその周辺の領域もカラーで表示されるようになる。なお、本例では、高周波信号のレベルが閾値を超えている場合にも超えていない場合にも、検出領域拡張部２０５が検出信号を出力する構成としてあるが、高周波信号のレベルが閾値未満である場合には、検出信号を出力しない構成としてもよい。
【００３３】
［表示用信号処理部の動作の例］
上述した各ブロックで処理が行われることにより、フィルタ２０３に入力されるＲＧＢ信号Ｃｖの信号レベルが高い場合には、フィルタ２０３によって高周波信号が生成されてレベル検出部２０４に出力される。そして、高周波信号のレベルが所定の閾値を超えている場合には、レベル検出部２０４より、高周波信号のレベルが所定の閾値を超えていることを示す検出信号が出力される。
【００３４】
レベル検出部２０４で生成された検出信号は検出領域拡張部２０５に供給され、検出領域拡張部２０５によってそのパルス幅が所定の幅に変換された後に、ＯＲ回路２０６に供給される。そして、ＯＲ回路２０６に供給された検出信号はセレクタ２０２に出力される。
【００３５】
セレクタ２０２では、高周波信号のレベルが所定の閾値を超えていることを示す検出信号が入力されると、信号が入力されている間、つまり検出信号のパルス幅に相当する期間ＲＧＢ信号Ｃｖが選択される。検出信号が入力されない場合には、モノクロ映像信号Ｍｖが選択される。これにより、これらの映像信号が出力される表示部２９（図１参照）の画面上では、高周波成分を含む画像の輪郭部分がカラーで表示され、それ以外の部分がモノクロで表示されるようになる。
【００３６】
図７に、表示用信号処理部２８で処理が施された映像信号による画像の表示例を示してある。図７では画像がモノクロで表現されているが、フォーカスが合っている三角形の被写体の画像のエッジ部分及びその周辺の領域に色がついており、それ以外の箇所はモノクロで表現されている様子を示してある。
【００３７】
［本実施の形態による効果］
上述した実施の形態によれば、高周波成分が多く含まれるエリア、すなわちフォーカスが合致しているエリアは、被写体が本来持つ色が付いて表示され、それ以外のフォーカスが合っていないエリアはモノクロで表示されるようになる。これにより、フォーカスの調整作業に伴ってフォーカスが合ってくるに従って、モノクロで表示されていた被写体の輪郭部分がカラーで表示されるため、ユーザはフォーカスの合焦状態を容易に認識できるようになる。
【００３８】
この場合、従来の技術のように輪郭部分に黄色や白等の特定の色が付加されるわけではないので、例えば被写界深度が深く、画面内の複数の被写体に同時にフォーカスが合っているような場合であっても、画面に表示される絵が見づらくなってしまうことがなくなる。
【００３９】
また、従来のような、輝度のレベルを上げる処理を行っていないため、輪郭強調表示画像において、被写体が有する本来の輝度のレベルを認識できるようになる。
【００４０】
また、従来のように、輪郭を強調するためにエンハンサを用いた場合は、元の映像信号がノイズを多く含むものであった場合には、ノイズ自体も強調してしまうことになる。これに対して本実施の形態では、高周波成分が抽出された箇所には被写体が持つ本来の色がついて表示されるだけなので、ノイズが強調されてしまうことがない。また、輪郭強調表示の度合いを強めるために高周波成分の検出レベルを上げても、ノイズが増えることはなくなる。これにより、従来であればフォーカス合わせが難しいとされる、例えば人肌等の輝度差が大きくない被写体においても、フォーカス合わせを容易に行うことができるようになる。例えば、人の顔の鼻の頭だけにフォーカスを合わせるといった操作も、ノイズを増やすことなく実現することができる。
【００４１】
なお、上述した実施の形態では、フィルタ２０３をハイパスフィルタで構成して、フィルタ２０３によって高周波成分が抽出された場合に、セレクタ２０２からＲＧＢ信号Ｃｖを出力するようにしたが、これに限定されるものではない。例えば、フィルタ２０３をローパスフィルタで構成して、フィルタ２０３によって低周波成分（高周波を除く成分）が抽出された場合に、セレクタ２０２からモノクロ映像信号Ｍｖを出力するようにしてもよい。
【００４２】
また、上述した実施の形態では、ＲＧＢ信号Ｃｖをモノクロ化するモノクロ化部２０１を含む構成としたが、モノクロ化部２０１を備えない構成に適用してもよい。すなわち、本線のＲＧＢ信号Ｃｖと、輪郭強調処理が施された各信号と乗算する乗算器を設け、その乗算器に、フォーカスの合っていない箇所はモノクロで出力させ、フォーカスの合っている箇所はカラーで出力させる構成としてもよい。
【００４３】
また、上述した実施の形態では、検出領域拡張部２０５でピークホールド処理を行うことにより、カラー表示による輪郭強調が施される領域を拡張しているが、これに限定されるものではない。例えば、レベル検出部２０４に設定する閾値をより低い値として検出領域拡張部２０５の特性にヒステリシスを持たせることにより、輪郭強調領域を拡大する構成としてもよい。
【００４４】
＜２．変形例１＞
なお、上述した実施の形態では、ＲＧＢ信号Ｃｖの高周波成分を抽出して高周波信号を生成するようにしたが、モノクロ化部２０１でモノクロ化されたモノクロ映像信号Ｍｖから高周波成分を抽出するよう構成してもよい。
【００４５】
この場合の表示用信号処理部２８の構成例を、図８に示してある。図８において、図２と対応する箇所には同一の符号を付してあり、詳細な説明は省略する。図８に示した表示用信号処理部２８においては、モノクロ化部２０１から出力されたモノクロ映像信号Ｍｖがフィルタ２０３Ａに入力されている。フィルタ２０３Ａは、図３に示したフィルタと同様にハイパスフィルタで構成してあるものとする。
【００４６】
フィルタ２０３Ａで抽出された高周波成分は、高周波信号としてレベル検出部２０４Ａに供給され、レベル検出部２０４Ａによって、そのレベルが予め設定された閾値を超えているか否かが判断される。高周波信号のレベルが閾値を超えていた場合には、後段の検出領域拡張部２０５Ａによってピークホールド処理が施され、ピークホールドされた検出信号がセレクタ２０２に供給される。セレクタ２０２では、検出領域拡張部２０５Ａから検出信号が入力されている間ＲＧＢ信号Ｃｖが選択されて、表示部２９（図１参照）に出力される。
【００４７】
このような構成とした場合には、フィルタ２０３Ａやレベル検出部２０４Ａ、検出領域拡張部２０５ＡをＲ，Ｇ，Ｂの各信号分用意する必要がなくなる。従って、回路の規模を小さくすることができる。
【００４８】
＜３．変形例２＞
次に、表示用信号処理部２８を、検出信号のレベル方向の大きさを調整可能な構成とした場合の例を、図９を参照して説明する。図９においても、図２、図８と対応する箇所には同一の符号を付してあり、詳細な説明は省略する。
【００４９】
図９に示した表示用信号処理部２８には、ＲＧＢ信号Ｃｖと、制御部２０９から出力される制御信号とを乗算する乗算器２０７ｃと、モノクロ映像信号Ｍｖと、制御部２０９から出力される制御信号とを乗算する乗算器２０７ｍとが設けられている。さらに、乗算器２０７ｍから出力された信号と、乗算器２０７ｃから出力された信号とを加算する加算器２０８も備える。
【００５０】
また、図９に示したレベル検出部２０４ｒＡ，レベル検出部２０４ｇＡ，レベル検出部２０４ｂＡは、入力された高周波信号のレベルが閾値を超えているか否かの判断をするのではなく、高周波信号のレベルを階調値で示した検出信号を出力する。
【００５１】
検出領域拡張部２０５ｒＡ，検出領域拡張部２０５ｇＡ，検出領域拡張部２０５ｂＡは、検出信号のレベルが閾値以上であった場合には前述したピークホールドの処理を行い、処理後の検出信号を制御部２０９に出力する。
【００５２】
制御部２０９は、入力された検出信号に示された高周波信号のレベルが閾値を超えている場合には、乗算器２０７ｃのゲインを所定の値に設定するとともに乗算器２０７ｍのゲインを０とするための制御信号を生成する。高周波信号のレベルが閾値未満である場合には、乗算器２０７ｍのゲインが所定の値に設定するとともに乗算器２０７ｃのゲインを０とするための制御信号を生成する。そして、検出領域拡張部２０５ｒＡ，検出領域拡張部２０５ｇＡ，検出領域拡張部２０５ｂＡのいずれかから入力された検出信号と生成した制御信号とを、乗算器２０７ｍと乗算器２０７ｃの両方に供給する。そして、乗算器２０７ｍから出力された信号と、乗算器２０７ｃから出力された信号とが加算器２０８で加算されて、表示部に出力される。
【００５３】
表示用信号処理部２８をこのように構成することにより、高周波信号のレベルが閾値を超えている場合には、乗算器２０７ｍのゲインが０に設定されるため、乗算器２０７ｃのみから信号が出力されるようになる。高周波信号のレベルが閾値未満である場合には、乗算器２０７ｃのゲインが０に設定されるため、乗算器２０７ｍのみから信号が出力されるようになる。すなわち、高周波成分を多く含む画像のエッジ部分では、乗算器２０７ｃを通して出力されるＲＧＢ信号が表示部２９に出力され、それ以外の領域では、乗算器２０７ｍを通して出力されるモノクロ映像信号Ｍｖが表示部２９に出力されるようになる。
【００５４】
このとき、乗算器２０７ｃを通して出力されるＲＧＢ信号Ｃｖは、高周波信号の階調値の情報を有する検出信号が乗算されたものとなる。従って、フィルタ２０３で検出された高周波信号のレベルが高い場合には、表示部２９に表示される画像の輪郭部分の色も、濃く表示されるようになる。
【００５５】
これによりユーザは、フォーカスの合い具合を、画像の輪郭部分に現れる色の濃淡によって容易に判断することができるようになる。
【００５６】
＜４．変形例３＞
次に、図１０のブロック図を参照して、信号処理部２４（図１参照）から輝度信号Ｙと色信号Ｃとが別々に送信される場合の表示用信号処理部２８の構成例を説明する。図１０においても、図２や図９と対応する箇所には同一の符号を付し、詳細な説明は省略する。
【００５７】
図１０に示した表示用信号処理部２８は、輝度信号Ｙの高周波成分を抽出するフィルタ２０３Ｂと、レベル検出部２０４Ｂと、検出領域拡張部２０５Ｂと、乗算器２０７Ａとを含む。
【００５８】
レベル検出部２０４Ｂは、フィルタ２０３Ｂで抽出された高周波信号のレベルを階調値で示した検出信号を出力する。またレベル検出部２０４Ｂは、高周波信号のレベルが予め設定された閾値未満である場合には、乗算器２０７Ａのゲインが０になるよう制御し、高周波信号のレベルが閾値以上である場合には、乗算器２０７Ａのゲインを所定の値とするための制御信号も出力する。
【００５９】
検出領域拡張部２０５Ｂは、前述した検出領域拡張部２０５と同様の拡張処理を行って、処理後の検出信号と、レベル検出部２０４Ｂから供給された制御信号とを乗算器２０７Ａに出力する。
【００６０】
表示用信号処理部２８をこのように構成することにより、フィルタ２０３Ｂで高周波成分が検出され、そのレベルが所定のレベル以上であった場合には、検出領域拡張部２０５Ｂで処理が施された検出信号及び、制御信号が乗算器２０７Ａに供給されるようになる。つまり、画像の輪郭部分とその周辺の領域がカラーで表示され、表示される色も、高周波成分が含まれる度合いに応じた濃さで表現されるようになる。
【００６１】
フィルタ２０３Ｂで高周波成分が検出されなかった場合には、本線の色信号Ｃには何の信号も乗算されないため、表示部２９の画面上には通常通りのモノクロ画像が表示されるようになる。
【００６２】
＜５．変形例４＞
次に、従来のピーキングと称される輪郭強調処理と、本実施の形態における輪郭強調処理との両方を使用できる構成とした場合の例を、図１１〜図１４を参照して説明する。ピーキングとは、輝度信号の高周波成分を抽出して生成した輪郭強調信号を、本線の輝度信号に加算することによって、画像の輪郭部分を強調して表示する手法を指す。なお、図１１〜図１４において、図２、図８、図９、図１０と対応する箇所には同一の符号を付してあり、詳細な説明は省略する。
【００６３】
図１１に示した表示用信号処理部２８においては、フィルタ２０３Ｂの後段に、第１の検出領域拡張部２０５Ｃ−１と第２の検出領域拡張部２０５Ｃ−２とを設けてある。そして、第１の検出領域拡張部２０５Ｃ−１で処理が施された検出信号は、乗算器２０７Ａによって本線の色信号Ｃと掛け合わされ、第２の検出領域拡張部２０５Ｃ−１で処理が施された検出信号は、加算器２０８によって本線の輝度信号Ｙに加算される構成としてある。
【００６４】
このように構成することにより、第２の検出領域拡張部２０５Ｃ−１で処理が施された検出信号を本線の輝度信号Ｙに加算する従来のピーキングによる輪郭強調と、検出信号を色信号Ｃに加算することによる輪郭強調とを併用することができるようになる。なお、ピーキングによる輪郭強調を行うのか、被写体の持つ本来の色による強調表示を行うのかは、ユーザが自由に設定できるものとしてある。
【００６５】
図１２に示した表示用信号処理部２８は、第１の検出領域拡張部２０５Ｃ−１用のフィルタ（第１のフィルタ２０３Ｄ−１）と、第２の検出領域拡張部２０５Ｃ−２用のフィルタと（第２のフィルタ２０３Ｄ−２）を別々に構成したものである。そして、第１の検出領域拡張部２０５Ｃ−１で処理された検出信号は、乗算器２０７Ａによって本線の色信号Ｃに乗算され、第２の検出領域拡張部２０５Ｃ−２で処理された検出信号は、加算器２０８によって本線の輝度信号Ｙに加算される構成としてある。
【００６６】
このように、従来のピーキング処理用のフィルタと、被写体の持つ本来の色による強調表示用のフィルタとを分けることで、それぞれの方式において異なる周波数帯の信号を抽出することができるようになる。
【００６７】
図１３に示した表示用信号処理部２８は、フィルタ２０３Ｅと検出領域拡張部２０５Ｄによって、本線の色信号Ｃに乗算する検出信号と、本線の輝度信号Ｙに加算する検出信号との両方を生成するように構成したものである。フィルタ２０３Ｅで抽出されて検出領域拡張部２０５Ｄで処理が施された信号は、乗算器２０７Ａによって本線の色信号Ｃに乗算されるとともに、加算器２０８によって本線の輝度信号Ｙに加算される。このように、輪郭強調処理が施された１つの信号を、輝度信号Ｙと色信号Ｃとの両方に加える構成としてもよい。
【００６８】
図１４に示した表示用信号処理部２８は、第２のフィルタ２０３Ｄ−２と第２の検出領域拡張部２０５Ｃ−２によってピーキング処理が施された本線の輝度信号Ｙから、被写体が有する色による強調表示を行うための検出信号を生成する構成としたものである。つまり、第２のフィルタ２０３Ｄ−２で抽出され、第２の検出領域拡張部２０５Ｃ−２によって拡張処理が施された検出信号を、加算器２０８によって本線の輝度信号Ｙに加算するようにした。そして、検出信号が加算された輝度信号Ｙを、第１のフィルタ２０３Ｄ−１に入力するようにした。
【００６９】
第１のフィルタ２０３Ｄ−１に入力された信号は、第１のフィルタ２０３Ｄ−１によって所定の周波数帯域のみが抽出され、第１の検出領域拡張部２０５Ｃ−１に供給される。第１の検出領域拡張部２０５Ｃ−１に供給された信号は、第１のフィルタ２０３Ｄ−１で拡張処理が施されて、乗算器２０７Ａによって本線の色信号Ｃに乗算される。このように、ピーキングが施された輝度信号Ｙから生成した検出信号を、本線の色信号Ｃに乗算する構成としてもよい。
【００７０】
＜６．変形例５＞
なお、上述した実施の形態では、本発明の映像信号処理装置を、表示部２９が内蔵された撮像装置１００に適用した例を挙げたが、これに限定されるものではない。図１５に示すような、表示装置３Ａを撮像装置１００に装着して使用する構成や、図１６に示すような、コネクタ等を介して外部の表示装置３Ｂを撮像装置１００に接続する構成に適用してもよい。
【００７１】
図１５及び図１６において、図１と対応する箇所には同一の符号を付してあり、詳細な説明は省略する。図１５に示したカメラブロック２Ａには、撮像装置１００に対して取り外し可能に構成された表示装置３Ａが装着されている。
【００７２】
図１５に示した構成においては、図２等に示した表示用信号処理部２８の構成が、表示装置３Ａ内の表示用信号処理部３１内に設けられている。すなわち、カメラブロック２Ａ内の表示用信号処理部２８Ａでは、エンコード処理や映像信号のアナログ化処理等の一般的な処理を行い、輪郭強調表示用の処理は、表示装置３Ａ内の表示用信号処理部３１で行う構成としてある。そして、表示用信号処理部３１で輪郭強調処理が施された映像信号が表示部３２に出力され、画像として表示される。
【００７３】
図１６に示した撮像装置１００には、外部インタフェース部３０に接続されたケーブル（図示略）を介して表示装置３Ｂが接続されている。表示装置３Ｂは、外部インタフェース部３３と表示用信号処理部３１と表示部３２よりなり、表示用信号処理部３１が輪郭強調処理を行う構成としてある。
【００７４】
または、レンズブロック１や撮像素子２１を備えず、外部の撮像装置から供給される映像信号に対して輪郭強調処理を施して、内部の表示部２９又は外部の表示装置３に供給する構成に適用してもよい。
【図面の簡単な説明】
【００７５】
【図１】本発明の一実施の形態による撮像装置の内部構成例を示すブロック図である。
【図２】本発明の一実施の形態による表示用信号処理部の内部構成例を示すブロック図である。
【図３】本発明の一実施の形態によるフィルタの構成例を示すグラフである。
【図４】本発明の一実施の形態によるフィルタを通す前の映像信号による画像の例を示す説明図である。
【図５】本発明の一実施の形態によるフィルタを通過後の映像信号による画像の例を示す説明図である。
【図６】本発明の一実施の形態によるフィルタの構成例を示すグラフである。
【図７】本発明の一実施の形態による輪郭強調処理後の映像信号による画像の例を示す説明図である。
【図８】本発明の他の実施の形態１による表示用信号処理部の内部構成例を示すブロック図である。
【図９】本発明の他の実施の形態２による表示用信号処理部の内部構成例を示すブロック図である。
【図１０】本発明の他の実施の形態３による表示用信号処理部の内部構成例を示すブロック図である。
【図１１】本発明の他の実施の形態４による表示用信号処理部の内部構成例を示すブロック図である。
【図１２】本発明の他の実施の形態４による表示用信号処理部の内部構成例を示すブロック図である。
【図１３】本発明の他の実施の形態４による表示用信号処理部の内部構成例を示すブロック図である。
【図１４】本発明の他の実施の形態４による表示用信号処理部の内部構成例を示すブロック図である。
【図１５】本発明の他の実施の形態５による撮像装置の内部構成例を示すブロック図である。
【図１６】本発明の他の実施の形態５による撮像装置の内部構成例を示すブロック図である。
【符号の説明】
【００７６】
１…レンズブロック、２，２Ａ…カメラブロック、３，３Ａ，３Ｂ…表示装置、２１…撮像素子、２２…相関二重サンプリング回路、２３…アナログ・デジタル変換部、２４…信号処理部、２５…記録用信号処理部、２６…記憶部、２７…外部インタフェース部、２８，２８Ａ…表示用信号処理部、２９…表示部、３０…外部インタフェース部、３１…表示用信号処理部、３２…表示部、３３…外部インタフェース部、１００…撮像装置、２０１…モノクロ化部、２０２…セレクタ、２０３，２０３Ａ，２０３Ｅ，２０３ｂ，２０３ｇ，２０３ｒ…フィルタ、２０４，２０４Ａ，２０４Ｂ，２０４ｂ，２０４ｇ，２０４ｒ…レベル検出部、２０５，２０５Ａ，２０５Ｂ，２０５Ｄ，２０５ｂ，２０５ｇ，２０５ｒ…検出領域拡張部、２０６…ＯＲ回路、２０７，２０７Ａ，２０７ｃ，２０７ｍ…乗算器、２０８…加算器、２０９…制御部、Ｃ…色信号、Ｃｖ…ＲＧＢ信号、Ｍｖ…モノクロ映像信号、Ｙ…輝度信号
【図１】
2010074549.tif 000003
【図２】
2010074549.tif 000004
【図３】
2010074549.tif 000005
【図５】
2010074549.tif 000006
【図６】
2010074549.tif 000007
【図８】
2010074549.tif 000008
【図９】
2010074549.tif 000009
【図１０】
2010074549.tif 000010
【図１１】
2010074549.tif 000011
【図１２】
2010074549.tif 000012
【図１３】
2010074549.tif 000013
【図１４】
2010074549.tif 000014
【図１５】
2010074549.tif 000015
【図１６】
2010074549.tif 000016
【図４】
2010074549.tif 000017
【図７】
2010074549.tif 000018